(57)【特許請求の範囲】
【請求項１】
電話番号に設定される自動ダイアル用のアンカーポイントを一部に含む複数のアンカーポイントが設定され、かつ、前記自動ダイアル用のアンカーポイント以外のアンカーポイントに対して、フォーカスをスキップする属性が付加された個人情報をディスプレイに表示する表示手段と、
ユーザの指示に応じて一方向、該一方向と逆方向の移動操作、および選択操作が可能な操作手段と、
前記ディスプレイ上で、前記個人情報に含まれる複数のアンカーポイントに対して、前記操作手段の一方向の移動操作に応じて、フォーカスを順方向に順次移動するとともに、逆方向の移動操作に応じてフォーカスを逆方向に順次移動するフォーカス移動手段と、
前記操作手段の選択操作に応じて、現在フォーカスされているアンカーポイントを選択するアンカーポイント選択手段と、
前記アンカーポイント選択手段により前記自動ダイアル用のアンカーポイントが選択されたとき、当該アンカーポイントの設定された電話番号に対して自動的に電話の発信を行う自動ダイアル手段と、を備え、
前記フォーカス移動手段は、前記操作手段の一方向または逆方向の移動操作に応じて前記フォーカスを移動させていく際に、次のアンカーポイントについて前記フォーカスをスキップする属性が付加されているか否かを調べ、前記フォーカスをスキップする属性が付加されたアンカーポイントについてはフォーカスすることなくスキップすることを特徴とする移動通信機器。
【請求項２】
前記ディスプレイの画面に重ねて配置されたタッチパネルと、
該タッチパネル上の任意の点を指示するポインティング手段とを備え、
前記アンカーポイント選択手段は、前記フォーカスをスキップする属性が付加されたアンカーポイントであっても前記ポインティング手段により指示されたときには、当該アンカーポイントを選択することを特徴とする請求項１記載の移動通信機器。
【請求項３】
閉状態で前記ディスプレイの画面の一部を露出する表示窓を有するカバーを備え、前記表示手段は、前記カバーが閉じられた状態で、前記個人情報中の少なくとも前記電話番号を前記表示窓内に表示することを特徴とする請求項１または２に記載の移動通信機器。
【請求項４】
前記カバーの閉状態を検知する検知手段を備え、前記表示手段は、前記検知手段によりカバーの閉状態が検知されたとき、前記表示窓に必要な情報が現われるように前記ディスプレイに表示される情報をシフトすることを特徴とする請求項３記載の移動通信機器。
【請求項５】
前記カバーの閉状態を検知する手段を備え、前記表示手段は、前記検知手段によりカバーの閉状態が検知されたとき前記ディスプレイに表示される情報を９０°回転させることを特徴とする請求項３または４記載の移動通信機器。
【発明の詳細な説明】
【０００１】
【発明の属する技術分野】
本発明は、いわゆる携帯電話および簡易型携帯電話（ＰＨＳ：Personal Handy phone System)等の、無線で通信が可能な移動通信機器に関し、特に、比較的大きい画面サイズの平面ディスプレイを有する移動通信機器に関する。
【０００２】
【従来の技術】
近年、携帯電話やＰＨＳ等の移動通信機器が急速に普及する一方、携帯型パソコンやＰＤＡ(Personal Digital Assistants)のような携帯型情報機器の利用者も拡大している。これに伴って、携帯型情報機器に移動通信機器を接続して、屋外や出先で、目的の相手とデータ通信を行えるようになってきた。
【０００３】
最近では、両者を融合した機器、すなわちＰＨＳ電話機にＰＤＡ機能を持たせた移動通信機器が商品化されている。これは逆に、ＰＤＡにＰＨＳ機能を持たせた携帯型情報機器とみることもできる。
【０００４】
この種の移動通信機器は、会社や自宅以外の場所で、単に電話として利用できるだけでなく、電子メールやＦＡＸを送受信したり、インターネットのＷＷＷ(World Wide Web)サーバにアクセスしてホームページを閲覧したりするのに利用できる。
【０００５】
そのために、このような移動通信機器は、通常の携帯電話等のディスプレイに比べて大きい画面サイズのディスプレイを備えている。
【０００６】
電話をかける場合には、数字キーの押下によりダイアリングできる他、機器内に電話帳データを保持しており、この電話帳から選択した相手の電話番号に基づいて、電話番号のキー入力を行うことなく電話の発信が行えるようになっている。
【０００７】
一方、ＷＷＷサーバから得られるホームページの情報はハイパーテキスト・マークアップ言語（ＨＴＭＬ：Hyper Text Markup Language)で記載されている。ＨＴＭＬで記載された文書自体はテキストファイルであり、タグとよばれる記号”＜”，”＞”で挟まれたコードにより、文字修飾情報やレイアウト情報等が指定され、ブラウザと呼ばれるプログラムが、このタグを解釈してＨＴＭＬ文書の表示を行う。
【０００８】
ＨＴＭＬ文書は、他のテキストや画像、音声をその文書の中に挿入することができるだけできなく、あるＨＴＭＬ文書の各部を、画像や他のＨＴＭＬ文書にリンクさせることができる。すなわち、ＨＴＭＬ文書では、同じ文書内のある位置（後述するアンカーポイントまたはホットスポット）を別の位置や別のファイル等にリンクさせる（関係づける）ことにより、ある位置から即座にリンク先の位置へ移動することができ、極めて効率的かつ多彩な文書（いわゆるマルチメディアを含む）の閲覧が可能となる。また、アンカーポイントの選択に基づいて、電子メールを送信するためのウインドウを開いたり、当該アンカーポイントに関連した特定の機能を起動したりすることができる。
【０００９】
このように、ＨＴＭＬ文書中の種々の項目に対してアンカーポイントを設定しておくことにより、ユーザはそれらのアンカーポイントを選択すれば、そのアンカーポイントに対応した文書の閲覧や各種機能を実行することが可能になる。
【００１０】
【発明が解決しようとする課題】
ところで、ＰＤＡのような携帯情報機器には、ディスプレイ上の画面上に設けられたタッチパネルに対して直接的に指示を行うポインティングデバイスとしてのペンが付属するものが多い。
【００１１】
しかし、上記移動通信機器を単に電話機として用いる場合には、電話帳の電話番号を指定するのにいちいちペンを用いるのは煩雑であり、通常は、２方向の指示が行える移動キーを用いて電話番号の指定を行うことになる。例えば、ＨＴＭＬ文書で記載された電話帳に対して、移動キー等を用いて、アンカーポイントの設定された電話番号を順番に指定していくことができる。ブラウザはアンカーポイントの位置を認識することができ、移動キーに基づくアンカーポイントの指定のためには、順方向または逆方向の移動を指示するだけで、アンカーポイントが１つずつ順番に指定されていく。このようなアンカーポイントの指定を本明細書では「フォーカス」と呼ぶ。現在表示中のＨＴＭＬ文書においてフォーカスされているアンカーポイントの位置を「フォーカス位置」ともいう。また、このようなフォーカスされているアンカーポイントに付随するジャンプや特定機能の実行を行わせる操作を「選択」といい、選択の前の段階の「指定」と区別する。
【００１２】
上記のようなＰＤＡ機能を有する移動通信機器では、電話帳データには、単に氏名および電話番号だけでなく、ＦＡＸ番号や電子メールアドレス等を含めることが好ましく、かつ電話帳をＨＴＭＬ文書とすることにより、これらの項目に対して前述のように各種の機能を追加することができる。
【００１３】
しかしながら、このように種々の項目に対してアンカーポイントが設定されている場合に、前述のような移動キーによるアンカーポイントの指定方法では、目的の電話番号のアンカーポイントに到達するまでに、多くの目的外のアンカーポイントが介在し、目的の電話番号を迅速に見つけることが困難である。
【００１４】
本発明は、このような問題に鑑みてなされたものであり、このようなＨＴＭＬ文書を表示することができる比較的大きい画面サイズの平面ディスプレイを有する移動通信機器においてその操作性を向上させることを目的とする。
【００１５】
本発明の他の目的は、フォーカスの移動指示に対して目的の自動ダイアル用のアンカーポイントに迅速に到達することができる、回転可能プッシュ式スイッチを備えた移動通信機器を提供することを目的とする。
【００１６】
【課題を解決するための手段】
上記目的を達成するために、本発明による移動通信機器は、電話番号に設定される自動ダイアル用のアンカーポイントを一部に含む複数のアンカーポイントが設定され、かつ、前記自動ダイアル用のアンカーポイント以外のアンカーポイントに対して、フォーカスをスキップする属性が付加された個人情報をディスプレイに表示する表示手段と、ユーザの指示に応じて一方向、該一方向と逆方向の移動操作、および選択操作が可能な操作手段と、前記ディスプレイ上で、前記個人情報に含まれる複数のアンカーポイントに対して、前記操作手段の一方向の移動操作に応じて、フォーカスを順方向に順次移動するとともに、逆方向の移動操作に応じてフォーカスを逆方向に順次移動するフォーカス移動手段と、前記操作手段の選択操作に応じて、現在フォーカスされているアンカーポイントを選択するアンカーポイント選択手段と、前記アンカーポイント選択手段により前記自動ダイアル用のアンカーポイントが選択されたとき、当該アンカーポイントの設定された電話番号に対して自動的に電話の発信を行う自動ダイアル手段と、を備え、前記フォーカス移動手段は、前記操作手段の一方向または逆方向の移動操作に応じて前記フォーカスを移動させていく際に、次のアンカーポイントについて前記フォーカスをスキップする属性が付加されているか否かを調べ、前記フォーカスをスキップする属性が付加されたアンカーポイントについてはフォーカスすることなくスキップすることを特徴とする。
【００１７】
この構成により、前記操作手段の移動操作によるフォーカス移動の対象となるアンカーポイントを限定することができ、目的のアンカーポイントへのフォーカス移動を迅速に行うことが可能になる。これによって、単一の操作手段で電話番号の指定、選択および自動ダイアリングが行えるようになる。したがって、本機器の操作性の向上が図れる。
【００１９】
特に、種々の機能を実行するためにアンカーポイントを含む個人情報の中で、自動ダイアル用のアンカーポイント以外のアンカーポイントにこのような属性を付加しておくことにより、操作手段の移動操作によるフォーカス移動の際に、フォーカス移動手段は自動ダイアル用のアンカーポイント以外のアンカーポイントをスキップする。その結果、自動ダイアル用のアンカーポイントのみが順次フォーカスされ、目的のアンカーポイントへより短時間で到達することができる。
【００２１】
さらに、本移動通信機器には、前記ディスプレイの画面に重ねて配置されたタッチパネルと、該タッチパネル上の任意の点を指示するポインティング手段とを備え、前記アンカーポイント選択手段は、前記フォーカスをスキップする属性が付加されたアンカーポイントであっても前記ポインティング手段により指示されたときには、当該アンカーポイントを選択することが好ましい。これによって、前記操作手段では選択できない他のアンカーポイントを選択できるようになる。
【００２２】
好ましくは、閉状態で前記ディスプレイの画面の一部を露出する表示窓を有するカバーを備え、前記表示手段は、前記カバーが閉じられた状態で、前記個人情報中の少なくとも前記特定の項目を前記表示窓内に表示する。これによって、本移動通信機器を電話機として使用する場合に、通常の電話機と同じまたは近い形で利用することができる。
【００２３】
この場合、前記カバーの閉状態を検知する検知手段を備え、前記表示手段は、前記検知手段によりカバーの閉状態が検知されたとき、前記表示窓に必要な情報が現われるように前記ディスプレイに表示される情報をシフトすることが望ましい。これによって、大画面のディスプレイに表示されている情報のうち、カバー閉状態で必要な部分のみを表示窓に表示させることができる。
【００２４】
あるいは、前記カバーの閉状態を検知する手段を備え、前記表示手段は、前記検知手段によりカバーの閉状態が検知されたとき前記ディスプレイに表示される情報を９０°回転させるようにしてもよい。これによって、ユーザが本移動通信機器を縦長に保持したときに、表示窓内の情報が見やすくなる。
【００２５】
【発明の実施の形態】
以下、本発明の好適な実施の形態を図面により詳細に説明する。
【００２６】
まず、本発明を理解するための前提事項として、ＨＴＭＬ文書の構造について説明する。本明細書では、ＨＴＭＬ言語で記述された文書をＨＴＭＬ文書と呼び、そのファイルをＨＴＭＬファイル（またはＨＴＭＬテキスト）と呼ぶ。
【００２７】
図３に、ＨＴＭＬ文書の基本的構成を示す。ＨＴＭＬ文書は、前述のように実質的にはテキストファイルであるが、タグと呼ばれる埋め込みコード（記号”＜”と”＞”で表わされる）を文書内に散在して有する。通常、指定範囲を開始タグと終了タグの１対のタグで挟み込む。終了タグは”／”を有し、これにより開始タグと区別される。但し、改段落を表わす＜Ｐ＞や、改行を表わす＜ＢＲ＞のように単独で用いられる場合もある。このタグにより、文字修飾情報やレイアウト情報の他、リンク情報を設定することができる。ブラウザがこのタグを解釈して、ＨＴＭＬ文書をその作成者の意図に沿った形式で画面上に表示し、また、リンクの制御を行う。
【００２８】
ＨＴＭＬ文書の基本構成は、図３（ａ）に示すように、テキスト文書の中に種々のタグが混在したものである。このＨＴＭＬ文書は、ブラウザにより解釈され画面上に表示される際には、図３（ｂ）から分かるようにタグは表示されず、その指示内容のみが表示に反映される。ＨＴＭＬ文書中のアンカーポイントの設定された特定の文字列をユーザが選択したときに、その文字列に関連する場所にジャンプする機能をリンクと呼ぶ。図３（ａ）のＨＴＭＬ文書"aaa.html"内の箇所２０１は、
<A HREF="bbb.html">BBB</A>
と記述されている。リンクの設定に用いられるタグは、アンカータグ（＜Ａ・・・＞・・・＜／Ａ＞）と呼ばれ、アンカータグで挟まれた部分はアンカーポイントまたはホットスポットと呼ばれる。アンカータグの開始タグ <A HREF="bbb.html">における”ＨＲＥＦ＝”はリンク先のアクセス情報（ここではファイル名）を示す。このアンカータグの部分は、ブラウザ画面では図３（ｂ）の表示文字列２０３のように文字列”ＢＢＢ”が強調して表示される。この強調表示は、他の文字列との色を変えたり、下線を付したりして行われる。これにより、ユーザがこの文字列を選択すると、他の場所へ移行できることが認識される。
【００２９】
また、箇所２０２はインライン画像をアンカーポイントとする場合を示しており、ここでは”ｇｇｇ．ｇｉｆ”という画像ファイルを画面上に画像２０４として表示し、この画像２０４がユーザにより選択されたときに、リンク先”ｃｃｃ．ｈｔｍｌ”の内容を読み出して表示する。ここで、インライン画像とは、ＨＴＭＬ文書内に埋め込まれて表示される画像である。
【００３０】
リンクにおけるリンク先のアクセス情報としては、幾つかのパターンがある。
【００３１】
図４に示すように、同じサーバ（ホスト）内のあるＨＴＭＬファイルから別のＨＴＭＬファイルへリンクを設定する（リンクを張るともいう）ときには、当該別のファイルのファイル名（ディレクトリ名を含む場合もある）がリンク先を示す情報となる。図４（ａ）はリンク元のＨＴＭＬファイルとリンク先のＨＴＭＬファイルの関係を示す。図４（ｂ）は、それぞれのファイルに対応するブラウザ画面の表示内容を示す。この例では、アンカーポイントの文字列”ＢＢＢ”を選択すると、他のファイルを表わすリンク先のＨＴＭＬファイル”ｂｂｂ．ｈｔｍｌ”が要求され、その内容が表示される。
【００３２】
図５に示すように、同じファイル内の別の位置へリンクを張る場合もある。このような場合、リンク先を示す情報としてその位置の項目名を用いる。図５（ａ）に示すように、ここでは、リンク元において<A HREF="#aaa">AAA</A>という記述５２によりリンク先の位置を示し、他方、リンク先において<A NAME="aaa">AAA</A>という記述５３により、項目名”ａａａ”に対してリンクが張られたことを示している。図５（ｂ）から分かるように、これに対応するブラウザ画面では、強調表示された”ＡＡＡ”という文字列をユーザが選択すると、同じファイル内の後続の位置にある項目”ＡＡＡ”の位置に表示が飛ぶ。これは、通常、１頁が長いばあいに、項目のリストのみを最初に掲げ、この各項目に対して後続の対応位置に対してリンクを張るような場合に有効である。
【００３３】
図６は、同じサーバ内の別のファイルの特定の位置へリンクする場合を示す。この場合には、その別のファイルのファイル名と文書中の項目名を組み合わせたものがリンク先のアクセス情報となる。この例では、同じサーバ内の別のファイル”ｂｂｂ．ｈｔｍｌ”の項目”ｐｐｐ”へジャンプする例を示している。図６（ａ）は、リンク元およびリンク先のそれぞれのＨＴＭＬファイルの関係を示し、図６（ｂ）は、それぞれに対応するブラウザ画面を示している。
【００３４】
その他、後述するように、開始タグ部分に特殊なコマンドを記述し、当該アンカーポイントが選択されたときそのコマンドに対応するスクリプト（プログラム）を呼び出して実行することも可能である。
【００３５】
次に、図１に、本実施の形態に係る移動通信機器としての電話機１００の外観を示す。ここでは、データ通信機能をサポートしたＰＨＳ電話機を例としている。図１（ａ）は電話機１００のカバー１４０を閉じた状態を示し、図１（ｂ）はカバー１４０を開いた状態を示す。図１（ａ）から分かるように、カバー１４０には表示窓１４１および数字ボタン等の各種キー１３１が設けられている。また、本体１４２には、カバー１４１により被覆される位置に、本体１４２のほぼ全域に亘る比較的大きい画面サイズの平面ディスプレイ１２２（例えば液晶パネル）が設けられている。図では明確に見えないが、平面ディスプレイ１２２の表面にはタッチパネルが配置されている。本体１４０の左側面の上部には、ジョグダイアルと呼ぶ回転可能プッシュ式スイッチ１３２が配置されている。この回転可能プッシュ式スイッチ１３２は、一方向の回転動作、この一方向の回転動作と逆方向の回転動作、およびプッシュ動作が可能である。より具体的には、このスイッチ１３２は、３６０°エンドレスで上下方向（本体１４０の長手方向）に所定角度単位にクリック感をもって回転可能な円盤状部を含むエンコーダを有し、この円盤状部の所定角度毎の回転がその回転方向とともに検出される。また、円盤状部は本体１４０に対して押下可能なプッシュ式スイッチとしても機能する。このような回転可能プッシュ式スイッチ１３２自体の構成および機能は公知なので、ここでは詳述しない。本実施の形態では、この回転可能プッシュ式スイッチ１３２を、後述するように、電話番号の指定および選択に利用する。
【００３６】
図２に、図１の電話機１００のハードウエア構成を表わすブロック図を示す。
【００３７】
図２の構成において、中央処理装置（ＣＰＵ）１０１は、電話機１００全体の制御を司る。ＣＰＵ１０１には、ＲＯＭ１０５、フラッシュメモリ１０７、ＲＡＭ１０８、平面ディスプレイ１２２、各種キー１３１、回転可能プッシュ式スイッチ１３２、および通信制御部１３３が接続されている。
【００３８】
ＲＯＭ１０５は、読み出し専用の不揮発性メモリであり、ＣＰＵ１０１が実行する各種コンピュータプログラムおよび必要なデータを格納している。このプログラムには、本発明により機能が拡張されたブラウザを含む。フラッシュメモリ１０７は、書き換え可能な不揮発性のメモリであり、ユーザが不揮発的に記憶しておきたい個人管理情報（ＰＩＭ）やＵＲＬ(Uniform Resource Locator)、電子メール等を格納しておくためのものである。また、バージョンアップ可能なプログラムもフラッシュメモリ１０７に格納することができる。ＲＡＭ１０８は、ＣＰＵ１０１がプログラムの実行処理を行う上で必要とされる一時記憶領域、作業領域や、プログラム実行に必要な各種パラメータを格納する領域を提供する。
【００３９】
図１では図示しなかったが、平面ディスプレイ１２２上のタッチパネルに対して、ユーザは、ペン１１０により画面上の任意の座標点を指示することができる。このペン１１０は、好ましくは、不使用時に、図１の本体１４０に設けられた収納部（図示せず）に収納される。各種キー１３１および回転可能プッシュ式スイッチ１３２は、前述したとおりである。
【００４０】
通信制御部１３３は、音声およびデータの通信を制御する部位であり、ＲＦ部１３４を介してアンテナ１３５に接続され、また、マイク１３６およびスピーカ１３７に接続されている。
【００４１】
本発明における表示手段、フォーカス移動手段およびアンカーポイント選択手段は、主として、ＣＰＵ１０１によるＲＯＭ１０５（あるいはフラッシュメモリ１０７）内のプログラム実行により実現される。
【００４２】
なお、図２は概略の構成を示したものであり、細部の構成（例えば、表示メモリ、表示コントローラや、入出力制御部等）は図示省略してある。
【００４３】
本実施の形態では、フラッシュメモリ１０７等に格納された個人情報（個人管理情報）を表示用にＨＴＭＬテキストに変換し、これを電話帳としてブラウザに表示させる。
【００４４】
図７に、登録した個人情報のリストをＨＴＭＬテキストで表示した例を示す。この表示された個人情報リストは、ＨＴＭＬのテーブル（表）関連のタグを利用して記述されたものである。この例の個人情報リストは、相手名（ＮＡＭＥ）、電話番号（ＴＥＬ）、ＦＡＸ番号（ＦＡＸ）、および電子メールアドレス（Ｅ−ｍａｉｌ）を有する。後述するように、各人の各項目にはアンカーポイントが設定されており、それぞれに対応した動作または機能が予め割り当てられている。
【００４５】
図７の個人情報リスト中、例えば、ある相手名のアンカーポイントをペンで選択すれば、図８に示すように、その人物の詳細な情報を示す画面８００が表示される。図８の例では、図７の個人情報リストに含まれる情報に加えて、住所、会社名、備考が表示されている。この画面上で個人情報の修正、削除が行える。個人情報の新規登録のためには、図示しないメニュー等から、別の画面を表示させて行う。
【００４６】
また、図７の個人情報リスト中、ある人物のＦＡＸ番号のアンカーポイントをペンで選択すれば、図９に示すような画面９００が表示される。この画面９００内のＴｏエリア９０１には、図７の個人情報リストに基づいて、当該人物のＦＡＸ番号が自動的に入力されている。Ｆｒｏｍエリア９０２には、予め登録されているユーザ名が自動的に入力されている。このユーザ名および前記相手名は、後述のＦＡＸの本文内容に付加され、あるいは、ＦＡＸの発信元記録情報として利用される。本文エリア９０５には、ソフトウエアキーボード９０６を用いてユーザが任意の文章を入力することができる。あるいは、ペンを用いて手書き文字や線画を描くことができる。必要なエリアの記載を完了して、ユーザが送信ボタン９１１を選択すると、件名および本文の内容が宛先のＦＡＸ機に対して発信される。送信ボタンを選択前に取消ボタン９１３を選択すると、記載された内容が消去され、再入力が可能となる。戻りボタン９１２を押すと、図７のリスト表示に戻る。
【００４７】
図７の個人情報リストにおいて、ある人物の電子メールアドレスのアンカーポイントをペンで選択すれば、図１０に示すような電子メール発信用の画面１０００が表示される。この画面１０００内のＴｏエリア１００１には、図７の個人情報リストに基づいて、当該人物の電子メールアドレスが自動的に入力されている。Ｆｒｏｍエリア１００２には、予め登録されているユーザ名が自動的に入力されている。ｃｃエリア１００３には、ユーザがソフトウエアキーボード１００６を利用してｃｃ相手名を表わす文字列を入力することができる。Ｓｕｂｊｅｃｔエリア１００４には、ユーザがソフトウエアキーボード１００６を利用して件名を表わす文字列を入力することができる。本文エリア１００５には、ソフトウエアキーボード１００６を用いてユーザが任意の文章を入力することができる。必要なエリアの記載を完了して、ユーザが送信ボタン１０１１を選択すると、画面１０００の内容の電子メールが相手先の電子メールアドレスに対して発信される。送信ボタン１０１１を選択前に取消ボタン１０１３を選択すると、記載された内容が消去され、再入力が可能となる。戻りボタン１０１２を押すと、図７のリスト表示に戻る。
【００４８】
さらに、図７の個人情報リスト中の電話番号のアンカーポイントを選択すると、その電話番号に対する自動ダイアリングが行われる。電話機能は、通常、カバー１４０（図１）を閉じた状態で行うことを想定している。本実施の形態では、図１１に示すように、カバー１４０を閉めた状態で、平面ディスプレイ１２２の画面の一部が表示窓１４１から見える。この際、図７の個人情報リストの少なくとも相手名と電話番号とが表示窓１４１から現われるように、必要に応じて画像をシフト（スクロール）する。このシフト量は予め分かっているので、固定量を設定しておくことができる。カバー１４０を開いた状態で表示されている情報のうち、カバー１４０を閉じたときに必要な情報が表示窓１４１からそのまま見える場合にはこのシフト動作は必要ない。なお、図１１の例では、「内田  三郎」氏の電話番号がフォーカスされている状態を示している。
【００４９】
別の例として、図１２に示すように平面ディスプレイ１２２の画像を右側に９０°回転させるようにしてもよい。これによって、電話機１００を縦に持ったときに表示が見やすくなる。このように画像を９０゜回転させる場合も、図７の個人情報リストの少なくとも相手名と電話番号とが表示窓１４１から現われるように必要に応じて表示位置を自動的に調整する。
【００５０】
なお、カバー１４０が閉状態にあることを検知するために、図１（ｂ）に示すようにプッシュ式のマイクロスイッチ１４３が設けられている。但し、カバー１４０の開閉状態が分かる手段であれば、本発明はマイクロスイッチ１４３に限定されるものではない。
【００５１】
図１１または図１２のように、表示窓１４１から相手名および電話番号が表示された状態で、回転可能プッシュスイッチ１３２を上方向または下方向に回転させると、所定角度の回転毎に、電話番号のアンカーポイントのみに対してだけ順次１つずつフォーカスが移動していく。
【００５２】
このような動作を実現するための原理を図１３により説明する。
【００５３】
図１３（ａ）に示すように、本実施の形態では、回転可能プッシュスイッチ１３２のような、アンカーポイントに対するフォーカスを順次移動させるようなフォーカス移動指示手段からのフォーカス移動指示に対してフォーカスをスキップさせたいアンカーポイントの開始タグに特定の文字列（ここでは”ＫＥＹＳＫＩＰ”）を含める。ブラウザは、フォーカス移動指示を受けた場合、この文字列が付加されていないアンカーポイントについてはその記載順に順次アンカーポイントを見つけて、そのアンカーポイントにフォーカスを移動する。しかし、開始アンカータグ内にこの文字列を見つけたときには、そのアンカーポイントをスキップする。
【００５４】
今、ＨＴＭＬ文書において、図１３（ａ）に示すような４つのアンカータグ７１ａ〜７４ａを含む記述部分があったとする。アンカータグ７１ａ〜７４ａの前者２つのアンカーポイントは文字列であり、後者２つのアンカーポイントは画像であり、それぞれ、別のＨＴＭＬファイル1st.html, 2nd.html, 3rd.html, 4th.htmlがリンク先として指定されている。また、アンカータグ７１ａ，７３ａには開始アンカータグ内の最後に”ＫＥＹＳＫＩＰ”という文字列が付加されている。これは、本実施の形態においてＨＴＭＬの機能拡張のために追加されたものである。この文字列は、”ＫＥＹＳＫＩＰ”以外に、任意の文字列を選定することができる。なお、”ＫＥＹＳＫＩＰ”属性に対応しないブラウザでは”ＫＥＹＳＫＩＰ”という文字列は無視され、ブラウザ動作には何ら影響を及ぼさない。
【００５５】
図１３（ａ）のＨＴＭＬ文書は、ブラウザ画面上では図１３（ｂ）のように見える。今、アンカーポイント７２ｂがフォーカスされている（すなわち、色変更、反転等による表示属性の変更により強調表示されている）とする。”ＫＥＹＳＫＩＰ”の記述がない場合には、従来通り、順方向のフォーカス移動指示に対して、フォーカスはアンカーポイント７２ｂから７３ｂ，７４ｂへと順次、ＨＴＭＬテキストの記述順に移動していく。この処理は、フォーカス移動手段（ＣＰＵ１０１、ブラウザおよび表示コントローラ等）によって、本実施の形態では、表示メモリに格納された表示内容を変更することにより実行される。表示内容の変更は、表示メモリの内容を書き換えることにより行えるが、いわゆるカラーパレット（図示せず）を用いる場合にはパレットの内容を変更することにより表示色を変更することができる。本明細書における表示内容の変更には、このような表示メモリの内容自体の書き換え以外の処理によって表示結果を変更する場合も含むものとする。
【００５６】
図１３（ａ）のように”ＫＥＹＳＫＩＰ”属性が付加されたアンカーポイントが存在する場合、フォーカス移動指示によるフォーカス移動時に、それらのアンカーポイントはフォーカスされずにスキップされる。図１３（ｂ）の例では、アンカーポイント７２ｂから順方向にフォーカスが移動する際、アンカーポイント７３ｂがスキップされ、アンカーポイント７４ｂへフォーカスが移る。逆方向のフォーカス移動指示の場合には、”ＫＥＹＳＫＩＰ”属性が付加されたアンカーポイント７１ｂがスキップされる。
【００５７】
図１４に、図７の個人情報リストに対応した具体的なＨＴＭＬ文書の例を示す。図１４において、記述９１，９２，９３，９４は、それぞれ、図７の個人情報リストの１行目の人物の相手名、電話番号、ＦＡＸ番号および電子メールアドレスに対応している。
【００５８】
相手名の記述９１にはリンク先としてファイルcontact.htmlの位置#AndoIchiroが指定されている。このアンカーポイントを選択すると、前述した図８に示すような個人情報の詳細を示す画面８００が表示される。
【００５９】
電話番号の記述９２には、”phoneto:...”という特別のコマンド（スキームともいう）が含まれる。ブラウザは、ユーザによりこのアンカーポイントが選択されたときに、指定された電話番号を引数にして、このコマンドに対応するスクリプト（プログラムモジュール）を呼び出す。このスクリプトが実行されることにより、当該電話番号への自動ダイアリングが行われる。
【００６０】
ＦＡＸ番号の記述９３には、”faxto:...”という特別のコマンドが含まれる。ブラウザは、ユーザによるこのアンカーポイントの選択に応答して、指定されたＦＡＸ番号を引数にして、このコマンドに対応するスクリプトを呼び出す。このスクリプトが実行されることにより、指定されたＦＡＸ番号に対するＦＡＸ送信のための画面９００（図９）が表示され、前述した所定の処理が行われる。
【００６１】
電子メールアドレスの記述９４には、電子メール発信用の画面１０００（図１０）を開くためのコマンドとして”mailto:...”を含んでいる。この場合も、アンカーポイントの選択に応じて、このコマンドに対応するスクリプトが呼び出され、このスクリプトが実行されることにより、指定された電子メールアドレスに対する電子メール送信のための画面表示および前述した所定の処理が行われる。
【００６２】
したがって、ユーザは、”ＫＥＹＳＫＩＰ”属性が付加された電話番号以外のアンカーポイントをフォーカス移動指示手段（操作手段１３２）により選択することはできないが、カバー１４０を閉じた状態では電話機能のみを用いれば足りるので、問題はない。カバー１４０を開いた状態では、ペン１１０を用いてこれらのスキップ属性のアンカーポイントを直接、選択することができる。
【００６３】
図１５に、本発明の”ＫＥＹＳＫＩＰ”属性に対応したブラウザにおける、フォーカスの順次移動指示に応答してＣＰＵ１０１（図１）により実行されるフォーカス移動処理のフローチャートを示す。操作手段１３２からフォーカス移動指示を受けたとき、まず、その指示が「順方向（Ｆ）」か「逆方向（Ｂ）」かを確認する（Ｓ１５１）。操作手段の下方向の回転が「順方向」に対応し、上方向の回転が「逆方向」に対応する。「順方向」であれば、ＨＴＭＬ文書中で、現在フォーカスされているアンカーポイントの直後にあるアンカーポイントを探索する（Ｓ１５２）。「逆方向」であれば、ＨＴＭＬ文書中で、現在フォーカスされているアンカーポイントの直前にあるアンカーポイントを探索する（Ｓ１５３）。該当するアンカーポイントが見つからない場合には（Ｓ１５４，Ｎｏ）、ステップＳ１５６へ進む。該当するアンカーポイントが見つかった場合には（Ｓ１５４，Ｙｅｓ）、そのアンカーポイントに対して”ＫＥＹＳＫＩＰ”属性が付加されているか否かを調べる（Ｓ１５５）。付加されていれば、ステップＳ１５１へ戻り、次のアンカーポイントを探索する。付加されていなければ、そのアンカーポイントへフォーカスを移動させる（Ｓ１５６）。この際、表示画面内にそのアンカーポイントが現われていない場合には、そのアンカーポイントを含む画像部分を表示する。先のステップＳ１５４で該当アンカーポイントが存在しなかった場合には、現在のアンカーポイントのフォーカスが継続される（Ｓ１５６）。
【００６４】
なお、図１の装置で、カバー１４０を開いた状態では、ユーザがインターネットへの接続を行うこともできる。そのためには、所定のメニュー項目あるいはアイコンを選択することにより、プロバイダに対してダイアルアップ接続が行われる。これによって、所望のホームページを閲覧することができる。
【００６５】
以上、本発明の好適な実施の形態についてのみ説明したが、本発明の要旨を逸脱することなく、種々の変更を行うことが可能である。例えば、上記の説明では、自動ダイアル用のアンカーポイントを電話番号に設定したが、例えば相手名等の特定の項目に設定してもよい。その場合には、図１４の相手名の記述９１の開始アンカータグ内にコマンド”phoneto:...”を設定し、その”ＫＥＹＳＫＩＰ”を削除する。これとともに、電話番号の記述９２のアンカータグを削除する。
【００６６】
【発明の効果】
本発明によれば、ＨＴＭＬ文書を表示することができる比較的大きい画面サイズの平面ディスプレイを有する移動通信機器において、回転可能プッシュ式スイッチによるフォーカスの移動指示に対して目的の電話番号のアンカーポイントに迅速に到達することができるので、操作性が向上する。
【００６７】
【図面の簡単な説明】
【図１】本発明による回転可能プッシュ式スイッチを備えた移動通信機器の一例としての電話機の外観図である。
【図２】図１の電話機の概略ハードウエア構成を示すブロック図である。
【図３】ＨＴＭＬ文書（ａ）とブラウザ画面（ｂ）の関係を示す説明図である。
【図４】ＨＴＭＬ文書におけるリンクを説明するための、ＨＴＭＬ文書（ａ）とブラウザ画面（ｂ）を示す説明図である。
【図５】ＨＴＭＬ文書における他のリンクを説明するための、ＨＴＭＬ文書（ａ）とブラウザ画面（ｂ）を示す説明図である。
【図６】ＨＴＭＬ文書におけるさらに他のリンクを説明するための、ＨＴＭＬ文書（ａ）とブラウザ画面（ｂ）を示す説明図である。
【図７】  本発明の応用例として登録した個人情報のリストをＨＴＭＬテキストで表示した例を示す図である。
【図８】図７のＨＴＭＬ文書内の相手名のアンカーポイントが選択されたときに表示される画面例を示す図である。
【図９】図７のＨＴＭＬ文書内のＦＡＸ番号のアンカーポイントが選択されたときに表示される画面例を示す図である。
【図１０】図７のＨＴＭＬ文書内の電子メールアドレスのアンカーポイントが選択されたときに表示される画面例を示す図である。
【図１１】図１の電話機のカバーを閉じたときのに表示窓に見える表示例を示す図である。
【図１２】図１の電話機のカバーを閉じたときのに表示窓に見える他の表示例を示す図である。
【図１３】本発明が適用されたＨＴＭＬ文書の一部分の記述例（ａ）とそれに対応するブラウザ画面（ｂ）の説明図である。
【図１４】図７の個人情報リストに対応するＨＴＭＬ文書の一部の記述例を示す図である。
【図１５】本発明によるアンカーポイントのフォーカス移動指示に応答するブラウザの処理例を示すフローチャートである。
【符号の説明】
１００…電話機、１０１…ＣＰＵ、１０５…ＲＯＭ、１０７…フラッシュメモリ、１０８…ＲＡＭ、１１０…ペン、１２２…平面ディスプレイ、１３１…各種キー、１３２…回転可能プッシュ式スイッチ、１３３…通信制御部、１３４…ＲＦ部、１３５…アンテナ、１３７…スピーカ、１３６…マイク、１４０…カバー、１４１…表示窓、１４２…本体、１４３…マイクロスイッチ。
【図１】
0004243344.tif 000002
【図２】
0004243344.tif 000003
【図３】
0004243344.tif 000004
【図４】
0004243344.tif 000005
【図５】
0004243344.tif 000006
【図６】
0004243344.tif 000007
【図７】
0004243344.tif 000008
【図８】
0004243344.tif 000009
【図９】
0004243344.tif 000010
【図１０】
0004243344.tif 000011
【図１１】
0004243344.tif 000012
【図１２】
0004243344.tif 000013
【図１３】
0004243344.tif 000014
【図１４】
0004243344.tif 000015
【図１５】
0004243344.tif 000016